(57)【要約】【課題】ＲＣ住宅などの床仕上げ構造に使用されるヘルムホルツ型共鳴箱を内蔵した高性能遮音二重床において、その性能を確保するためには二重床の端部を密閉処理する必要がある。従来の巾木密着施工による密閉処理は巾木と二重床の密着部がサウンドブリッジとなり性能低下をもたらす。また、ガムテープによる密閉処理は美観上や耐久性の問題がある。また、シール材の打設による密閉処理は確実な方法であるが施工性やコストアップの問題がある。【解決手段】当該部位の密閉処理において、スポンジ等の弾性体やヒレ付き巾木を設置することで、施工性、耐久性、コスト低減性及び美観にすぐれ、かつサウンドブリッジになり難く、性能確保に必要な程度の密閉性を容易に確保できる。【選択図】図３
2015052260.tif 000002
【特許請求の範囲】
【請求項１】
床基盤と、この床基盤上に設置された複数の防振支持脚と、この複数の防振支持脚で床下空気層を隔てて所定の高さに支持された床下地と、この床下地の上面に敷設された床仕上げ層からなる二重床であって、この二重床内部にヘルムホルツレゾネータを内蔵しその共鳴周波数を１６Ｈｚ乃至１０００Ｈｚに調整した二重床である高性能遮音二重床において、その高性能遮音二重床の端部に、密閉材として弾性体を設置したことを特徴とする床仕上げ構造。
【請求項２】
前記弾性体が通気性を有することを特徴とする請求項１に記載の床仕上げ構造。
【請求項３】
前記弾性体が連続気泡の軟質発砲ウレタンであることを特徴とする請求項１に記載の床仕上げ構造。
【請求項４】
前記弾性体がヒレ付き巾木であるとこを特徴とする請求項１に記載の床仕上げ構造。
【請求項５】
請求項１、２、３又は４に記載の床仕上げ構造を備えていることを特徴とする建築物。
【発明の詳細な説明】
【技術分野】
【０００１】  本発明は、重量床衝撃音遮断性能が良好な床仕上げ構造、及び、当該床仕上げ構造を有する建築物に関する。
【背景技術】
【０００２】  マンションの床仕上げ構造２の中で、最も一般的なものは二重床である。この二重床は、図１に示したように、床基盤（コンクリートスラブ）１の上に複数配置された防振支持脚３により、スラブから所定の距離（床下空気層）を隔てて、下地パネル４であるパーチクルボードが支持され、この下地パネル上に床仕上げ材５が敷設されている。これを従来例という。この従来例は、軽量床衝撃音（例えば椅子の引き摺りや食器等の落下音）にはある程度の遮断性能を有するが、重量床衝撃音（例えば、子供が飛び跳ねるときの下階で発生する音）には遮断性能が低いという問題があり、改善が望まれていた。【０００３】  その改善方法の一つは、ヘルムホルツレゾネータを内蔵する二重床であり、特許文献１、非特許文献１、非特許文献２及び非特許文献３に記されている。このヘルムホルツレゾネータ９を内蔵する二重床は、床下空気層２２の圧力変動を利用し、内蔵するレゾネータを機能させることで、重量床衝撃音遮断性能を向上させている。この床仕上げ構造１１を高性能遮音二重床という。図３に高性能遮音二重床の断面を示す。【０００４】  一般に、従来例の中で比較的床衝撃音遮断性能の高い二重床では、壁などとの接触防止や、密閉された床下空気２２の悪影響（太鼓現象）を防止するための、端部空気抜き７の隙間が設けられている（図２参照）。しかし、この高性能遮音二重床は前記床下空気層の圧力変動を利用しているため、床下空気層の気密性確保が重要である。前記気密性を確保する方法として、非特許文献１には、二重床の端部をガムテープ１９で密閉する方法が示されている。以下、このガムテープ１９による密閉方法を先行技術１という。この密閉方法（先行技術１）は、二重床の実験で多用されている方法であり、この方法は、密閉が容易であり、当該部位を経由した振動伝搬経路（サウンドブリッジ）が発生する可能性も低く、かつこの方法で得られるデータの信頼性は高い。しかし、テープの耐久性や美観の問題から、この先行技術１は実用性が乏しい。図５に、二重床の端部をガムテープで塞いだ高性能遮音二重床の端部の拡大断面を示す。【０００５】  高性能遮音二重床の端部は、耐久性や美観の問題の無い、シリコーン等のシーリング材（コーキング材とも呼ばれる）を施工する方法を、一般に思い浮かべることが出来る。しかし、この方法では気密性は十分確保できるが、養生期間が必要な事、やり直し調整が難しい事、また、シール材の断面が大きかったり材質が硬過ぎる場合、振動伝搬経路（サウンドブリッジ）になったり、振動性状を変化させて遮音性能を低下させてしまったりする事、などの欠点がある。このため、当該部位には、気密性や美観に加え、施工性や二重床への非拘束性も求められる。
【先行技術文献】
【特許文献】
【０００６】
【特許文献１】特許第５１７８９３７号
【非特許文献】
【０００７】
【非特許文献１】公益社団法人日本騒音制御工学会  春季研究発表会  講演論文集  平成２４（２０１２）年４月  Ｐ１５５〜１５８  ２−２−９高性能乾式二重床の開発（実大実験棟における測定結果）  堀内，雨海，中島，藪下，小山著
【非特許文献２】公益社団法人日本騒音制御工学会  春季研究発表会  講演論文集  平成２５（２０１３）年４月  Ｐ２５〜２８  １−２−１高性能乾式二重床の開発（その２  築４０年ＲＣ集合住宅での測定結果）  堀内，雨海，中島，藪下，小山著
【非特許文献３】一般社団法人日本建築学会  名古屋大会  学術講演梗概集  ２０１２年年９月  Ｐ３０１〜３０２  高性能遮音二重床の開発（その３  実大実験棟における測定結果及び考察）  堀内，藪下，雨海著
【発明の概要】
【発明が解決しようとする課題】
【０００８】  本発明は、先行技術１に見られる欠点に鑑み、床下空気層の密閉性を確保しつつ、サウンドブリッジになる等の床衝撃音遮断性能への悪影響が少なく、耐久性が良く、施工性が良く、かつ美観上の問題の無い高性能遮音二重床の端部の密閉方法を具備した床仕上げ構造の提供を目的としている。
また、本発明は、前記密閉方法を具備した床仕上げ構造を有する建物を提供することも目的としている。
【課題を解決するための手段】
【０００９】  この発明は、床基盤と、この床基盤上に設置された複数の防振支持脚と、この複数の防振支持脚で床下空気層を隔てて所定の高さに支持された床下地と、この床下地の上面に敷設された床仕上げ層からなる二重床であって、この二重床内部にヘルムホルツレゾネータを内蔵しその共鳴周波数を１６Ｈｚ乃至１０００Ｈｚに調整した二重床である高性能遮音二重床において、その高性能遮音二重床の端部に、密閉材として弾性体を設置したことを特徴とする床仕上げ構造。【００１０】  前記弾性体が通気性を有することを特徴とする床仕上げ構造。【００１１】  前記弾性体が連続気泡の軟質発砲ウレタン（通称スポンジ）であことを特徴とする床仕上げ構造。【００１２】  前記弾性体がヒレ付き巾木であるとこを特徴とする床仕上げ構造。【００１３】  また、これらの前記床仕上げ構造を備えていることを特徴とする建築物。
【発明の効果】
【００１４】  本発明によれば、高性能遮音二重床の端部にスポンジ等の弾性体又はヒレ付き巾木、或いはその両方を設置することで、床下空気の密閉度を必要な程度確保することが出来る。そして、密閉材としてはスポンジ等の弾性体であれば、また巾木材としては比較的柔らかいヒレ付き巾木であれば、共にサウンドブリッジになることもない（詳細は後述）。また、気密性のあるガムテープと通気性のあるスポンジとの床衝撃音遮断性能に対する効果は、意外にも変わらない（詳細は後述）。しかも、弾性体であれば養生期間が不要で、何度もやり直せる等施工性も良く、巾木以外の密閉材に関しては床の表面に見えてこない位置に設置出来る事から美観上の問題もなく、紫外線に当たらない部位となるため耐久性の問題もない。また、ヒレ付き巾木を設置する場合は、気密性確保の他、床端部に隙間７を設ける必要もなく更に美観が良い。
【図面の簡単な説明】
【００１５】
【図１】  従来例の断面図である。
【図２】  従来例の拡大図である。
【図３】  本発明の断面図である。
【図４】  本発明の拡大図である。
【図５】  先行技術１の拡大図である。
【図６】  ガムテープ塞ぎ（先行技術１）とテープなしの比較実験の結果である。
【図７】  ガムテープ塞ぎと本発明の比較実験の結果である。
【図８】  ヒレ付き巾木の有無の比較実験の結果である。
【図９】  実施例２の断面図である。
【図１０】  実施例３の断面図である。
【図１１】  実施例４の断面図である。
【図１２】  実施例５の断面図である。
【発明を実施するための形態】
【００１６】  以下、実施例の説明に先だって、高性能遮音二重床の端部をガムテープで塞いだ場合と、塞がないで解放した場合の床衝撃音レベルの一例を図６に示した。図６の試験体１５−１ｆは、非特許文献３の試験体Ｆ２−６５と共鳴管以外は共通の試験体で、試験場所試験条件も同一である。図６の試験体１５−１ｆｏｐは、試験体１５−１ｆと同一場所同一条件で連続的に測定した結果で、共にＪＩＳ  Ａ１４１８−２に準拠した測定結果である。このグラフからも本高性能遮音二重床には端部を密閉する事が、性能確保の上で重要であることが判る。
【００１７】  続いて、本高性能遮音二重床の端部をガムテープで塞いだ試験体８１−１と、本発明のスポンジで塞いだ試験体８１−２の床衝撃音レベルを図７に示した。両試験体のデータは非特許文献２に示す実際の団地（ストック住宅）で測定したもので、同文献の予備実験のものである。これらは共に測定方法はＪＩＳ  Ａ１４１８−１及びＡ１４１８−２に準拠したものである。この結果から、通気性を有するスポンジを密閉材に使用しても必要とされる程度の気密性は確保されているものと考えられる。また、このスポンジによる端部の処理方法は、タイヤ（ＬＨ１）衝撃源の他に、ゴムボール（ＬＨ２）やタッピングマシン（ＬＬ）での衝撃においてもガムテープと同様の性能を発揮した。
【００１８】  高性能遮音二重床は、リブ材２１以下の部分を先に組立て、この上に上部面材４を敷設している。この作業で出来た、下部面材１３・リブ材２１・上部面材４で囲まれた箱体がレゾネータ９となっている。この上部面材４を敷設する際、事前にその小口に密閉材である弾性体１７を貼っておけば、簡単に端部の密閉度を確保することが出来る。図４に本発明である密閉材を配した床仕上げ構造の納まり断面詳細を示す。
【００１９】  例えば、この上部面材と壁との隙間が１０ｍｍとした場合、１５ｍｍ厚さのスポンジを密閉材として用いれば、施工性と密閉度を満足することが出来る。また、この弾性体は、前記上部面材を施工した後に設置することも出来る。あと施工の場合、シール工事で使用されるバックアップ材として市販されている断面円形の弾性体を使用すると施工性が良い。
【００２０】  次に巾木による端部処理である。非特許文献１によれば、高性能遮音二重床の端部にソフト巾木（樹脂製の巾木で近年のマンションで多用されている）を密着施工した試験体Ｄ１−６５ＦＰは、ガムテープで処理した試験体Ｄ１−６５Ｆに比べ、サウンドブリッジが発生し大幅に性能低下を起こしている。しかし、図８に示す様に、ヒレ付き巾木で処理した試験体８３−３ｐ２（非特許文献２の表１では試験体９）は、巾木なしの試験体８３−２（非特許文献２の表１では試験体８）と比べ性能低下が見られなかった。このヒレ付き巾木は、当該弾性体である二重床と接するヒレ部分が、市販品の中で比較的柔らかい製品である。このようなヒレ付き巾木の設置を行えばサウンドブリッジによる性能低下は防止できる。
【実施例】
【００２１】  実施例１は、図４に示した、前述の上部面材４の小口に弾性体を貼りつけた例である。【００２２】  実施例２は、前記上部面材４を敷設後、前述の断面円形の弾性体を密閉材として使用した例である。その断面を図９に示す。【００２３】  実施例３は、リブ材２１の側面に弾性体を設置した例である。上部面材は床鳴り防止を目的に面材同士を５ｍｍ程度の隙間を開けて敷設する場合がある。その場合実施例１では、開けた隙間により密閉度が低くなる。この実施例３は、上部面材４を目地開きで敷設する場合などに有効な方法である。図１０にその断面を示す。【００２４】  実施例４は、床仕上げ材の小口に弾性体を設置した例である。床仕上げ材は、壁等との接触を避けるため、スポンジなどを部分的に挟み込み施工される場合がある。実施例４ではその際の接触防止のスポンジを連続的に設置したものである。図１１にその断面を示す。【００２５】  実施例５は、巾木のヒレ部分を弾性体と考え、密閉材としてヒレ付き巾木を設置した例である。この巾木のヒレ部分１６は軟らかい素材で出来ておりサウンドブリッジになり難い製品であるが、密閉材として使用できる可能性も有る。図１２にその断面を示す。
【産業上の利用可能性】
【００２６】  本高性能遮音二重床は、その端部の密閉処理が重要である。本発明の床仕上げ構造の端部の密閉材は、いずれも乾式施工が可能であるため施工性において一般的なシリコーンシール材等の湿式施工法に比べ有利であり、また安価であり、また省資源での施工ができる。
【符号の説明】
【００２７】１    鉄筋コンクリートスラブ
２    床仕上げ構造（二重床）
３    防振支持脚
４    下地パネル（パーチクルボード）
５    床仕上げ材
６    際根太
７    端部空気抜き
８    巾木
９    ヘルムホルツレゾネータ（ヘルムホルツ型共鳴箱）
１０  共鳴管
１１  床仕上げ構造（高性能遮音二重床）
１２  上部面材
１３  下部面材
１４  配管類
１５  ヒレ付き巾木
１６  巾木のヒレ部分
１７  密閉材としての弾性体
１８  端部の隙間
１９  端部のガムテープ処理
２０  断面の円形な密閉材（バックアップ材とも呼ばれる製品）
２１  リブ材
２２  床下空気層
【図１】
2015052260.tif 000003
【図２】
2015052260.tif 000004
【図３】
2015052260.tif 000005
【図４】
2015052260.tif 000006
【図５】
2015052260.tif 000007
【図６】
2015052260.tif 000008
【図７】
2015052260.tif 000009
【図８】
2015052260.tif 000010
【図９】
2015052260.tif 000011
【図１０】
2015052260.tif 000012
【図１１】
2015052260.tif 000013
【図１２】
2015052260.tif 000014